(57)【要約】【課題】光ファイバを確実かつ安定してクランプし、良好な接続状態を維持させることが可能な光コネクタを提供する。【解決手段】内蔵ファイバ１５を有するフェルールと、光ファイバ心線のガラスファイバ１部分を内蔵ファイバ１５に突き合わせた状態で収容するファイバ収容溝２６ａが形成されたベース部材２２と、ベース部材２２の対向位置に配設された押圧部材２３と、ベース部材２２と押圧部材２３とを近接方向へ付勢してファイバ収容溝２６ａに収容されるガラスファイバ１及び内蔵ファイバ１５を押圧固定させる板バネ部材２４とを備え、押圧部材２３には、ファイバ押圧固定領域Ａの少なくとも一端側に、内蔵ファイバ１５に接触しない非押圧領域が設けられ、押圧部材２３には、ファイバ押圧固定領域Ａを含む長手方向に、幅方向の両側部で押圧方向へ突出する突起部４１が形成され、板バネ部材２４による押圧力を、ファイバ押圧固定領域Ａ及び突起部４１によって支持する。【選択図】図３
2011085696.tif 000002
【特許請求の範囲】
【請求項１】
ガラスファイバを被覆から露出させた光ファイバ心線に取り付けられる光コネクタであって、
前記ガラスファイバが突き合わされる内蔵ファイバを有するフェルールと、
前記光ファイバ心線の前記ガラスファイバ部分を前記内蔵ファイバに突き合わせた状態で収容する収容溝が形成されたベース部材と、
前記ベース部材の対向位置に配設された押圧部材と、
前記ベース部材と前記押圧部材とを近接方向へ付勢することにより、前記収容溝に収容される前記ガラスファイバ及び前記内蔵ファイバを押圧固定させる付勢部材とを備え、
前記押圧部材には、前記ガラスファイバ及び前記内蔵ファイバが押圧固定される押圧固定領域におけるファイバ軸方向の少なくとも一端側に、前記ガラスファイバまたは前記内蔵ファイバに接触しない非押圧領域が設けられ、
前記ベース部材及び前記押圧部材の両方または何れか一方には、前記押圧固定領域を含むファイバ軸方向に沿って、ファイバ軸方向に直交する方向の両側部で押圧方向へ突出する突起部が形成され、
前記付勢部材による押圧力が、前記押圧固定領域及び前記突起部によって支持されることを特徴とする光コネクタ。
【請求項２】
請求項１に記載の光コネクタであって、
前記突起部は、前記押圧部材の前記フェルール側に配置されていることを特徴とする光コネクタ。
【請求項３】
請求項１または２に記載の光コネクタであって、
前記押圧部材は、前記付勢部材により付勢される領域が、前記押圧固定領域よりも前記フェルール側へ延在されていることを特徴とする光コネクタ。
【請求項４】
請求項１から３の何れか一項に記載の光コネクタであって、
前記非押圧領域では、前記押圧部材の前記ベース部材との対向面が、前記押圧固定領域から離れるにしたがって前記ベース部材からなだらかに離間されていることを特徴とする光コネクタ。
【請求項５】
請求項１から４の何れか一項に記載の光コネクタであって、
前記突起部は、前記付勢部材による付勢力が解除された状態で、対向面との間に隙間をあけて配置され、前記付勢部材による付勢力が作用して前記ガラスファイバ及び前記内蔵ファイバが押圧固定されて前記ベース部材と前記押圧部材とが近接することで、対向面と接触することを特徴とする光コネクタ。
【請求項６】
請求項１から５の何れか一項に記載の光コネクタであって、
前記押圧部材における前記押圧固定領域には、前記収容溝に対向する位置に前記ベース部材側へ向かって突出する押圧突起が形成されていることを特徴とする光コネクタ。
【請求項７】
請求項６に記載の光コネクタであって、
前記押圧突起は、前記突起部よりも突出寸法が大きいことを特徴とする光コネクタ。
【請求項８】
請求項１から７の何れか一項に記載の光コネクタであって、
前記ベース部材及び前記押圧部材の両方または少なくとも一方には、少なくとも前記ガラスファイバの押圧固定領域に対応した位置に、前記付勢部材が当接する梁部が形成されていることを特徴とする光コネクタ。
【請求項９】
請求項１から８の何れか一項に記載の光コネクタであって、
前記ベース部材または前記押圧部材の少なくとも一方には、前記突起部と係合して前記ベース部材と前記押圧部材とのファイバ軸方向に直交する方向の位置決めをする位置決め部が設けられていることを特徴とする光コネクタ。
【発明の詳細な説明】
【技術分野】
【０００１】
本発明は、光ファイバを接続するために光ファイバの端部に取り付けられる光コネクタに関する。
【背景技術】
【０００２】
光ファイバの端部に取り付けられる光コネクタとして、短尺光ファイバを内蔵したフェルールと、フェルールの後端を把持する把持部と上面に固定溝を有するベース部材と、固定溝に光ファイバを押し当てるためのカバー部材とを備え、ベース部材とカバー部材とで光ファイバを機械的に固定するメカニカルスプライス機構を有するものがある（例えば、特許文献１参照）。
【０００３】
メカニカルスプライスの技術としては、光ファイバを挟持するクランプ部材に、光ファイバの挟持箇所の一側方のみに突起を設け、クランプ力を光ファイバと突起にのみ加えることで、光ファイバのクランプ力を向上させるものがある（例えば、特許文献２参照）。
【０００４】
また、クランプ部材である基板及び押え板を有する接続器において、基板または押え板の一方に形成された凸部によって光ファイバを挿入する際の間隙が形成され、基板または押え板の他方に形成された凹部へ凸部が収容されることにより、基板と押え板とによって光ファイバが挟持されるものもある（例えば、特許文献３参照）。
【０００５】
さらに、クランプ部材であるＶ溝基板及び押さえ基板を有する接続器において、光ファイバ同士の突き合せ箇所を中心として光軸方向に伸びた凹部を形成し、この凹部でクランプばねにより押さえ基板が光ファイバの突き合わせ箇所に向って撓んで光ファイバの突き合わせ箇所を押さえるものも知られている（例えば、特許文献４参照）。
【先行技術文献】
【特許文献】
【０００６】
【特許文献１】特開平１０−１７０７５６号公報
【特許文献２】特開平１０−２０１３９号公報
【特許文献３】実開昭６３−１９１３０２号公報
【特許文献４】特開２００２−２２９９８号公報
【発明の概要】
【発明が解決しようとする課題】
【０００７】
ところで、特許文献１に記載されたような光コネクタにおいて、安定した光ファイバの接続状態を維持し、高い調心精度を得るには、光ファイバを位置決めして調心すべき部分の全体にクランプ力を均等に作用させる必要がある。
特許文献２の技術では、光ファイバのクランプ力を光ファイバ及びクランプ部材の一部にのみ作用させることで、クランプ力を付与するバネ力を大きくすることなく、光ファイバのクランプ力を向上できる。
【０００８】
しかし、一方のクランプ部材の調芯溝に収容された光ファイバは、他方のクランプ部材のほぼ中央に位置するため、調芯溝の一側方にのみ設けられた突起と光ファイバとの２箇所のみによって他方のクランプ部材を支持する場合、他方のクランプ部材が突起の存在しない側へと傾いて片当たりし、調心精度の低下により、光ファイバの良好な接続状態の維持が困難となるおそれがある。
また、光ファイバの調芯溝からの突出量と突起とが同じ高さとなるように設定しても、寸法公差により他方のクランプ部材が傾き、クランプ力が光ファイバと突起に均等に作用せず、クランプ力にばらつきが生じ、光ファイバの把持が不安定となってしまう。
【０００９】
また、特許文献３，４に記載された接続器の場合も、光ファイバをクランプする際に、一方のクランプ部材である基板またはＶ溝基板に対して、他方のクランプ部材である押え板または押さえ基板が、幅方向の略中央に配置された光ファイバを支点として傾き、光ファイバの把持が不安定となってしまう。
【００１０】
本発明の目的は、光ファイバを確実かつ安定してクランプし、良好な接続状態を維持させることが可能な光コネクタを提供することにある。
【課題を解決するための手段】
【００１１】
上記課題を解決することのできる本発明の光コネクタは、ガラスファイバを被覆から露出させた光ファイバ心線に取り付けられる光コネクタであって、
前記ガラスファイバが突き合わされる内蔵ファイバを有するフェルールと、
前記光ファイバ心線の前記ガラスファイバ部分を前記内蔵ファイバに突き合わせた状態で収容する収容溝が形成されたベース部材と、
前記ベース部材の対向位置に配設された押圧部材と、
前記ベース部材と前記押圧部材とを近接方向へ付勢することにより、前記収容溝に収容される前記ガラスファイバ及び前記内蔵ファイバを押圧固定させる付勢部材とを備え、
前記押圧部材には、前記ガラスファイバ及び前記内蔵ファイバが押圧固定される押圧固定領域におけるファイバ軸方向の少なくとも一端側に、前記ガラスファイバまたは前記内蔵ファイバに接触しない非押圧領域が設けられ、
前記ベース部材及び前記押圧部材の両方または何れか一方には、前記押圧固定領域を含むファイバ軸方向に沿って、ファイバ軸方向に直交する方向の両側部で押圧方向へ突出する突起部が形成され、
前記付勢部材による押圧力が、前記押圧固定領域及び前記突起部によって支持されることを特徴とする。
【００１２】
本発明の光コネクタにおいて、前記突起部は、前記フェルール側に配置されていることが好ましい。
【００１３】
本発明の光コネクタにおいて、前記押圧部材は、前記付勢部材により付勢される領域が、前記押圧固定領域よりも前記フェルール側へ延在されていることが好ましい。
【００１４】
本発明の光コネクタにおいて、前記非押圧領域では、前記押圧部材の前記ベース部材との対向面が、前記押圧固定領域から離れるにしたがって前記ベース部材からなだらかに離間されていることが好ましい。
【００１５】
本発明の光コネクタにおいて、前記突起部は、前記付勢部材による付勢力が解除された状態で、対向面との間に隙間をあけて配置され、前記付勢部材による付勢力が作用して前記ガラスファイバ及び前記内蔵ファイバが押圧固定されて前記ベース部材と前記押圧部材とが近接することで、対向面と接触することが好ましい。
【００１６】
本発明の光コネクタにおいて、前記押圧部材における前記押圧固定領域には、前記収容溝に対向する位置に前記ベース部材側へ向かって突出する押圧突起が形成されていることが好ましい。
【００１７】
本発明の光コネクタにおいて、前記押圧突起は、前記突起部よりも突出寸法が大きいことが好ましい。
【００１８】
本発明の光コネクタにおいて、前記ベース部材及び前記押圧部材の両方または少なくとも一方には、少なくとも前記ガラスファイバの押圧固定領域に対応した位置に、前記付勢部材が当接する梁部が形成されていることが好ましい。
【００１９】
本発明の光コネクタにおいて、前記ベース部材または前記押圧部材の少なくとも一方には、前記突起部と係合して前記ベース部材と前記押圧部材とのファイバ軸方向に直交する方向の位置決めをする位置決め部が設けられていることが好ましい。
【発明の効果】
【００２０】
本発明の光コネクタによれば、付勢部材によってベース部材と押圧部材とが近接方向へ付勢されると、押圧固定領域では、ガラスファイバ及び内蔵ファイバがベース部材と押圧部材とによって押圧固定される。また、このとき、突起部が対向面に当接することにより、ベース部材と押圧部材とが傾きなく安定して配置される。また、非押圧領域においても突起部が対向面に当接することにより、ベース部材と押圧部材とが傾きなく安定して配置される。
これにより、ベース部材と押圧部材とが、ファイバ軸方向に沿う方向及びファイバ軸方向に直交する方向の何れにも相対的に傾くことがないので、クランプ力が分散して内蔵ファイバ及びガラスファイバの押圧固定が不安定となるような不具合をなくすことができる。すなわち、クランプ力を押圧固定領域に集中させることができるので、内蔵ファイバとガラスファイバとを良好な調心状態で安定して押圧固定し、内蔵ファイバとガラスファイバの良好な接続状態を維持させることができる。
【図面の簡単な説明】
【００２１】
【図１】本発明に係る光コネクタの一実施形態の外観を示す側面図である。
【図２】図１の光コネクタのスプライス機構を示す側断面図である。
【図３】図２のスプライス機構のファイバ押圧固定領域の断面図である。
【図４】図２のスプライス機構の非押圧領域の断面図である。
【図５】スプライス機構の変形例を示すファイバ押圧固定領域の断面図である。
【図６】図２のスプライス機構のクランプ状態におけるファイバ押圧固定領域の断面図である。
【図７】図２のスプライス機構のクランプ状態における非押圧領域の断面図である。
【図８】スプライス機構の他の例を示すファイバ押圧固定領域の断面図である。
【発明を実施するための形態】
【００２２】
以下、本発明に係る光コネクタの実施の形態の例を、図面を参照して説明する。
図１及び図２に示すように、光コネクタ１１は、メカニカルスプライス型光コネクタであり、ガラスファイバ１を被覆２から露出させた光ファイバ心線３の端部に取り付けられる。
光コネクタ１１は、ハウジング１３の内部にフェルール１４を有している。フェルール１４には、短尺のガラスファイバからなる内蔵ファイバ１５が内蔵されており、この内蔵ファイバ１５は、フェルール１４の後端から延在されている。
光コネクタ１１には、ハウジング１３内におけるフェルール１４の後方側に、スプライス機構２１を備えており、このスプライス機構２１は、光コネクタ１１の後端側から挿し込んだ光ファイバ心線３を固定する。
【００２３】
図３にも示すように、スプライス機構２１は、ベース部材２２と、このベース部材２２の対向位置に配設された押圧部材２３と、これらのベース部材２２と押圧部材２３とを近接方向へ付勢する板バネ部材（付勢部材）２４とを備えている。
ベース部材２２と押圧部材２３との間へ挿入された光ファイバ心線３の端部が、板バネ部材２４の付勢力によってベース部材２２と押圧部材２３との間に押圧されて、固定されるようになっている。
【００２４】
ハウジング１３には、その側部に複数の挿入口１６が形成されており（図１参照）、これらの挿入口１６には、楔（図示略）が挿抜可能とされている。これらの挿入口１６へ楔を挿し込むことにより、スプライス機構２１を構成するベース部材２２と押圧部材２３とが板バネ部材２４の付勢力に抗して離間される。これにより、ベース部材２２と押圧部材２３とが離間された非クランプ状態で、光ファイバ心線３の端部の挿抜が可能とされている。
【００２５】
ベース部材２２は、例えば、樹脂によって一体成型されたものであり、その端部には、フェルール１４の後端部が嵌合される嵌合凹部２５が形成されている。このベース部材２２の上面からなるクランプ面２２ａには、幅方向（ファイバ軸方向に直交する方向）の中央位置に、長手方向へ沿って収容溝２６が形成されている。この収容溝２６は、断面視Ｖ字状に形成されたものであり、ファイバ収容溝２６ａと心線収容溝２６ｂとから構成されている。
【００２６】
フェルール１４側のファイバ収容溝２６ａには、フェルール１４から延在された内蔵ファイバ１５及び光ファイバ心線３の被覆２から露出されたガラスファイバ１が収容される。
心線収容溝２６ｂは、ファイバ収容溝２６ａよりも大きなＶ字状の溝からなり、この心線収容溝２６ｂには、被覆２を有する光ファイバ心線３が収容される。
【００２７】
収容溝２６は、心線収容溝２６ｂとファイバ収容溝２６ａとの間に、案内溝２６ｃを有している。この案内溝２６ｃは、その溝の大きさが、心線収容溝２６ｂの端部からファイバ収容溝２６ａに向かって次第に小さく形成されている。この案内溝２６ｃによって、光コネクタ１１の後端側から挿し込まれた光ファイバ心線３のガラスファイバ１がファイバ収容溝２６ａへ円滑に案内される。このように、ファイバ収容溝２６ａに案内されて収容されるガラスファイバ１は、その端面１ａが、ファイバ収容溝２６ａに予め収容されている内蔵ファイバ１５の端面１５ａに突き合わされる。
【００２８】
押圧部材２３は、ベース部材２２と同様に、例えば、樹脂によって一体成型されたものであり、板バネ部材２４の付勢力によってベース部材２２へ押し付けられることにより、収容溝２６に収容された内蔵ファイバ１５、ガラスファイバ１及び光ファイバ心線３を挟持して押圧固定する。
【００２９】
この押圧部材２３の下面からなるクランプ面２３ａには、幅方向中央位置に、長手方向（ファイバ軸方向に沿う方向）へ沿って押圧突起３１が形成されており、内蔵ファイバ１５、ガラスファイバ１及び光ファイバ心線３は、押圧部材２３の押圧突起３１によってベース部材２２に押圧される。なお、押圧突起３１の両側には、溝部３２が形成されており、板バネ部材２４の付勢力が押圧突起３１に集中するようになっている。
【００３０】
スプライス機構２１では、内蔵ファイバ１５とガラスファイバ１との突き合わせ箇所Ｔを含む内蔵ファイバ１５及びガラスファイバ１を押圧固定する領域がファイバ押圧固定領域Ａとされ、光ファイバ心線３をクランプする領域が心線押圧固定領域Ｂとされている。
【００３１】
また、押圧部材２３は、板バネ部材２４により付勢される領域が、ファイバ押圧固定領域Ａよりもフェルール１４側へ突出するように延在されている。これにより、押圧部材２３は、板バネ部材２４による付勢力によってフェルール１４側へ傾くようにベース部材２２へ押し付けられる。したがって、ファイバ押圧固定領域Ａでは、ガラスファイバ１側と比較して内蔵ファイバ１５側により大きいクランプ力が生じるようになっている。
【００３２】
これにより、スプライス機構２１では、内蔵ファイバ１５を大きなクランプ力によって確実に把持することができる。つまり、内蔵ファイバ１５を短くして押圧される長さを短くしても確実に把持することができるので、内蔵ファイバ１５の短縮による光コネクタ１１全体の短縮化を図ることができる。また、内蔵ファイバ１５を確実に安定して固定することによってガラスファイバ１との接続状態が高精度に安定し、伝送特性の安定化も図ることができる。なお、ガラスファイバ１及び光ファイバ心線３は、十分に長い領域が押圧固定されるので、光コネクタ１１から延びた部分の光ファイバ心線３に張力が作用しても、光コネクタ１１からの抜け出しが防止される。
【００３３】
また、押圧部材２３には、ファイバ押圧固定領域Ａよりもフェルール１４側へ突出するように延在させた端部に、内蔵ファイバ１５を押圧しない非押圧領域Ｃが設けられている。この非押圧領域Ｃでは、押圧部材２３のベース部材２２との対向面であるクランプ面２３ａが、ファイバ押圧固定領域Ａから離れるにしたがってベース部材２２からなだらかに離間するテーパ形状または湾曲形状とされている。
【００３４】
これにより、ファイバ押圧固定領域Ａのフェルール１４側で大きなクランプ力が内蔵ファイバ１５に作用しても、ファイバ押圧固定領域Ａのフェルール１４側の端部での応力集中が回避され、内蔵ファイバ１５への過度の側圧負荷や応力集中による損傷を極力抑制することができる。
【００３５】
また、押圧部材２３には、ファイバ押圧固定領域Ａと心線押圧固定領域Ｂとの境界部分に、逃げ凹部３８が形成されている。この逃げ凹部３８は、ベース部材２２側から次第に離間する一対のテーパ面３８ａから形成されている。この逃げ凹部３８を形成することにより、ファイバ押圧固定領域Ａと心線押圧固定領域Ｂの境界部分に形成される段差の角部がなくされて、ガラスファイバ１へ段差の角部が当接することによる応力集中がなくされている。
【００３６】
図３及び図４に示すように、押圧部材２３には、幅方向の両側部で押圧方向であるベース部材２２側へ突出する突起部４１が形成されている。突起部４１は、ファイバ押圧固定領域Ａを含む長手方向に形成されている。具体的には、これらの突起部４１は、ファイバ押圧固定領域Ａ及び心線押圧領域Ｂの両側方に形成され、さらに、非押圧領域Ｃの両側方にも延在されている。これにより、図４に示すように、非押圧領域Ｃでは、押圧部材２３のクランプ面２３ａに、突起部４１だけが形成されている。
なお、これらの突起部４１は、押圧部材２３の長手方向全長にわたって形成されていても良いが、特に大きなクランプ力が生じる非押圧領域Ｃを含むフェルール１４側に設けられているのが好ましい。それにより、押圧部材２３の傾きを効果的に抑制することができる。
【００３７】
押圧部材２３に形成された押圧突起３１は、両側部の突起部４１よりも突出寸法が大きくされている。また、突起部４１は、板バネ部材２４による付勢力が解除された非クランプ状態で、その対向面であるベース部材２２のクランプ面２２ａとの間に隙間をあけて配置されている（図３参照）。
【００３８】
ベース部材２２の下面からなる当接面２２ｂには、幅方向中央位置に、長手方向へ沿って梁部４２が形成されている。この梁部４２は、板バネ部材２４側へ突出するように形成されており、この梁部４２が板バネ部材２４に当接されている。
また、押圧部材２３の上面からなる当接面２３ｂにも、ベース部材２２と同様に、幅方向中央位置に、長手方向へ沿って梁部４３が形成されている。この梁部４３は、板バネ部材２４側へ突出するように形成されており、この梁部４３が板バネ部材２４に当接されている。
【００３９】
ベース部材２２及び押圧部材２３の梁部４２，４３は、少なくともファイバ押圧固定領域Ａに対応した位置に形成されていれば良く、この梁部４２，４３を形成することにより、ベース部材２２と押圧部材２３とによるクランプ力が幅方向中央に集中的に作用される。なお、梁部４２，４３は、ベース部材２２及び押圧部材２３の何れか一方に形成しても良い。また、これら梁部４２，４３は、その両側部を、図５に示すように、側方へ向かってなだらかに傾斜する裾野部４２ａ，４３ａを有する形状としても良く、このようにすると、成型時におけるベース部材２２及び押圧部材２３の変形（ひけ）を抑えることができる。
【００４０】
上記のベース部材２２及び押圧部材２３を挟持する板バネ部材２４は、連結片部５１と、この連結片部５１の上下端から同一方向へ延在する一対の押圧片部５２とを有する断面コ字状またはＵ字状に形成されたものである。そして、この板バネ部材２４の押圧片部５２が、ベース部材２２及び押圧部材２３に接触されている。また、押圧片部５２は、非押圧領域Ｃ及びファイバ押圧固定領域Ａに対応したファイバ側押圧片部５２ａと、心線押圧固定領域Ｂに対応した心線側押圧片部５２ｂとに分割されている。
【００４１】
ファイバ側押圧片部５２ａの長手方向の長さは、ファイバ押圧固定領域Ａの長手方向の長さ以上とされており、また、心線側押圧片部５２ｂの長手方向の長さは、心線押圧固定領域Ｂの長手方向の長さ以上とされている。これにより、板バネ部材２４のファイバ側押圧片部５２ａ及び心線側押圧片部５２ｂによって、ファイバ押圧固定領域Ａ及び心線押圧固定領域Ｂの全領域に対して確実に付勢力を付与することができるようになっている。
【００４２】
また、この板バネ部材２４の作用片部５２の幅方向中央位置には、それぞれベース部材２２及び押圧部材２３側へ突出する複数の凸部５４が長手方向へ間隔をあけて形成されており、これらの凸部５４がベース部材２２及び押圧部材２３の梁部４２，４３に当接されている。そして、これら凸部５４を形成することにより、板バネ部材２４の付勢力が、押圧片部５２を介してベース部材２２及び押圧部材２３へ集中的に付与される。特に、ファイバ側押圧片部５２ａでは、内蔵ファイバ１５とガラスファイバ１との突き合わせ箇所Ｔに対応した位置の凸部５４ａの突出量を大きくすることが好ましい。このようにすると、突き合わせ箇所Ｔに付与する付勢力を高め、より大きなクランプ力によって突き合わせ箇所Ｔを把持することができる。
【００４３】
上記構成の光コネクタ１１では、板バネ部材２４による付勢力が解除された状態、つまり、ハウジング１３の挿入口１６へ楔が挿し込まれてベース部材２２と押圧部材２３とが離間された非クランプ状態で、図３及び図４に示すように、それぞれの突起部４１は、対向面との間に隙間をあけて配置される。
この状態で、挿入口１６から楔を抜き取ることにより、板バネ部材２４の付勢力が作用してベース部材２２と押圧部材２３とが近接するクランプ状態となると、内蔵ファイバ１５、ガラスファイバ１及び光ファイバ心線３が押圧固定される。
【００４４】
このとき、ファイバ押圧固定領域Ａでは、図６に示すように、ベース部材２２のファイバ収容溝２６ａ及び押圧部材２３の押圧突起３１において、内蔵ファイバ１５及びガラスファイバ１が接触する部分が板バネ部材２４の付勢力により弾性変形する。これにより、ファイバ押圧固定領域Ａでは、ファイバ収容溝２６ａに収容された内蔵ファイバ１５及びガラスファイバ１がベース部材２２と押圧部材２３とによって強固に把持される。また、これに伴って、ベース部材２２と押圧部材２３とが近接する。
【００４５】
押圧突起３１とファイバ収容溝２６ａが弾性変形すると、それぞれの突起部４１は、その対向面であるベース部材２２のクランプ面２２ａと接触することとなり、これにより、板バネ部材２４によるクランプ力は、内蔵ファイバ１５及びガラスファイバ１が押圧固定されているファイバ押圧固定領域Ａ及びそれぞれの突起部４１によって支持される。
【００４６】
また、ファイバ押圧固定領域Ａの押圧突起３１とファイバ収容溝２６ａとの間で強く押圧力が作用し、それと比較して小さい押圧力が突起部４１とクランプ面２２ａとの間で作用する。したがって、板バネ部材２４の付勢力の大部分は効率的に内蔵ファイバ１５及びガラスファイバ１の押圧固定に利用され、残りの付勢力はベース部材２２と押圧部材２３との傾き防止に利用される。
【００４７】
また、このとき、図７に示すように、非押圧領域Ｃでは、ベース部材２２と押圧部材２３とが近接することにより、突起部４１が、その対向面であるベース部材２２のクランプ面２２ａと接触することとなり、これにより、板バネ部材２４によるクランプ力は、それぞれの突起部４１によって支持される。
【００４８】
このように、上記実施形態に係る光コネクタ１１では、板バネ部材２４によってベース部材２２と押圧部材２３とが挟持されると、ファイバ押圧固定領域Ａでは、ガラスファイバ１及び内蔵ファイバ１５がベース部材２２と押圧部材２３とによって押圧固定され、また、心線押圧固定領域Ｂでは、光ファイバ心線３がベース部材２２と押圧部材２３とによって押圧固定される。また、このとき、押圧部材２３の突起部４１がベース部材２２に当接することにより、ベース部材２２に対して押圧部材２３が傾きなく安定して配置される。また、非押圧領域Ｃにおいても押圧部材２３の突起部４１がベース部材２２に当接することにより、ベース部材２２に対して押圧部材２３が傾きなく安定して配置される。
【００４９】
これにより、ベース部材２２と押圧部材２３とが相対的に傾くことにより、クランプ力が分散して内蔵ファイバ１５及びガラスファイバ１のクランプが不安定となるような不具合をなくすことができる。
【００５０】
つまり、本実施形態に係る光コネクタ１１によれば、ベース部材２２と押圧部材２３との相対的な傾きをなくして平行状態を維持することにより、クランプ力をファイバ押圧固定領域Ａに集中させることができ、よって、内蔵ファイバ１５とガラスファイバ１とを良好な調心状態で安定してクランプし、内蔵ファイバ１５とガラスファイバ１の良好な接続状態を維持させることができる。
【００５１】
なお、上記実施形態では、押圧部材２３をファイバ押圧固定領域Ａよりもフェルール１４側へ突出するように延在させたが、押圧部材２３をファイバ押圧固定領域Ａよりもフェルール１４と反対側へ突出するように延在させても良い。このようにすると、押圧部材２３が板バネ部材２４による付勢力によってフェルール１４と反対側へ傾くようにベース部材２２へ押し付けられ、ファイバ押圧固定領域Ａでガラスファイバ１側により大きいクランプ力が生じるようになる。そして、この場合では、ガラスファイバ１を大きなクランプ力によって確実に把持することができ、クランプに要するガラスファイバ１の長さを短くすることにより、光コネクタ１１全体の短縮化を図ることができる。
【００５２】
また、上記実施形態では、押圧部材２３に突起部４１を形成したが、この突起部４１は、ベース部材２２に形成しても良く、また、押圧部材２３及びベース部材２２の両方に形成しても良い。
【００５３】
また、図８に示すように、ベース部材２２の幅方向の両側部に、押圧部材２３側へ突出する位置決め部６１を形成し、この位置決め部６１を押圧部材２３の突起部４１に係合させるようにしても良い。このようにすると、ベース部材２２と押圧突起２３とを幅方向へ位置決めすることができ、内蔵ファイバ１５、ガラスファイバ１及び光ファイバ心線３をより良好な調心状態で安定して押圧固定することができる。
なお、突起部４１をベース部材２２に形成した場合、位置決め部６１は、押圧部材２３に形成することとなる。
【００５４】
また、上記実施形態では、ファイバ押圧固定領域Ａと心線押圧固定領域Ｂとにわたって一体の押圧部材２３を配設した構造を例にとって説明したが、この押圧部材２３としては、ファイバ押圧固定領域Ａを押圧する部分と心線押圧領域Ｂを押圧する部分とに分割されていても良い。このようにすると、ファイバ押圧固定領域Ａと心線押圧固定領域Ｂとで、板バネ部材２４による付勢力を独立して調整することができる。例えば、ファイバ押圧固定領域Ａのクランプ力を心線押圧固定領域Ｂよりも大きくすることにより、突き合わせ部Ｔを有する内蔵ファイバ１５とガラスファイバ１とを強い力で把持することができる。なお、上記実施形態のように、ファイバ押圧固定領域Ａと心線押圧固定領域Ｂとにわたって一体の押圧部材２３を用いれば、部品点数の削減による低コスト化が図れ、また、部品同士の位置ずれをなくすことができる。
【符号の説明】
【００５５】
１：ガラスファイバ、２：被覆、３：光ファイバ心線、１１：光コネクタ、１４：フェルール、１５：内蔵ファイバ、２２：ベース部材、２３：押圧部材、２４：板バネ部材（付勢部材）、２６：収容溝、２６ａ：ファイバ収容溝、３１：押圧突起、４１：突起部、４２，４３：梁部、６１：位置決め部、Ａ：ファイバ押圧固定領域（押圧固定領域）、Ｃ：非押圧領域
【図１】
2011085696.tif 000003
【図２】
2011085696.tif 000004
【図３】
2011085696.tif 000005
【図４】
2011085696.tif 000006
【図５】
2011085696.tif 000007
【図６】
2011085696.tif 000008
【図７】
2011085696.tif 000009
【図８】
2011085696.tif 000010